(57)【特許請求の範囲】
【請求項１】
底面板(1)、一対の側面板(2)及び天面板(3)が連設され、側面板(2)から延出された端フラップ(5)と、底面板(1)及び天面板(3)から延出された端フラップ(6)とが貼り合わされて封緘される段ボール製ラップラウンドケースにおいて、
前記側面板(2)に、端フラップ(5)が繋がる端部間に亘って中間谷折線(9)が入れられ、側面板(2)と端フラップ(5)の境界部分に、底面側及び天面側が離反し、中間部が交差又は接近した稜部山折線(12)が入れられて、中括稜面部(13)が形成されると共に、底面側及び天面側が端フラップ側の稜部山折線(12)の両端に一致又は接近し、中間部が稜部山折線(12)から離れた稜部谷折線(14)が入れられて、中拡稜面部(15)が形成され、
中間谷折線(9)及び稜部谷折線(14)は、表面側が窪む谷折り方向へ折れ曲がりやすいように、表面側から押圧された逆罫線又は裏面側から厚さ方向の途中まで切り込まれた半切線とされ、稜部山折線(12)は、表面側が突き出す山折り方向へ折れ曲がりやすいように、裏面側から押圧された罫線とされていることを特徴とするラップラウンドケース。
【発明の詳細な説明】
【技術分野】
【０００１】
この発明は、飲料容器の集合包装等に使用する段ボール製ラップラウンドケースに関するものである。
【背景技術】
【０００２】
例えば、図５に示すように、ビール等の飲料缶Ｃを集合包装する際には、連設した底面板５１、一対の側面板５２及び天面板５３により、集積した缶Ｃを包み込み、一方の側面板５２に連設した継代片５４に天面板５３を貼り付け、側面板５２から延出した端フラップ５５と、底面板５１及び天面板５３から延出した端フラップ５６とを貼り合わせて封緘する段ボール製のラップラウンドケースが使用される。
【０００３】
このようなラップラウンドケースは、物流過程で大きな積上荷重が作用すると、側面板５２が樽状に膨出する胴膨れ現象が生じることがある。
【０００４】
その対策を施したラップラウンドケースとして、下記特許文献１には、図６に示すように、側面板５２と端フラップ５５の境界部分に、底面側及び天面側で接近し、中間部で間隔が広がる２本の弧状山折線５７，５８を入れ、山折線５７，５８の間に湾曲する稜面部５９を形成して、胴膨れを防止しようとするものが記載されている。
【先行技術文献】
【特許文献】
【０００５】
【特許文献１】特許第４５４２３１０号公報
【発明の概要】
【発明が解決しようとする課題】
【０００６】
しかしながら、上記特許文献１に記載されたようなラップラウンドケースでは、缶ではなく耐圧強度の小さいペットボトルを包装した場合、段ボールの強度が低下する多湿条件下で胴膨れを十分防止できないという問題がある。
【０００７】
そこで、この発明は、ペットボトル等を包装し、多湿条件下で大きな積上荷重が作用しても、胴膨れを防止できるようにすることを課題とする。
【課題を解決するための手段】
【０００８】
上記課題を解決するため、この発明は、底面板、一対の側面板及び天面板を連設し、側面板から延出した端フラップと、底面板及び天面板から延出した端フラップとを貼り合わせて封緘する段ボール製ラップラウンドケースにおいて、前記側面板に、端フラップが繋がる端部間に亘って中間谷折線を入れ、側面板と端フラップの境界部分に、底面側及び天面側が離反し、中間部が交差又は接近した稜部山折線を入れて、中括稜面部を形成すると共に、底面側及び天面側が端フラップ側の稜部山折線の両端に一致又は接近し、中間部が稜部山折線から離れた稜部谷折線を入れて、中拡稜面部を形成し、中間谷折線及び稜部谷折線は、表面側が窪む谷折り方向へ折れ曲がりやすいように、表面側から押圧した逆罫線又は裏面側から厚さ方向の途中まで切り込んだ半切線とし、稜部山折線は、表面側が突き出す山折り方向へ折れ曲がりやすいように、裏面側から押圧した罫線としたのである。
【発明の効果】
【０００９】
この発明に係るラップラウンドケースでは、コーナー部分において、中括稜面部と中拡稜面部とが耐圧荷重に優れた多面構造を形成するので、段ボールの強度が低下する多湿条件下で大きな積上荷重が作用しても、胴膨れが生じにくく、また、仮に座屈が生じても、中間谷折線及び稜部谷折線に沿って表面側が窪むように変形するので、胴膨れした形状となることがない。
【図面の簡単な説明】
【００１０】
【図１】この発明の実施形態に係るラップラウンドケースのブランクを示す図
【図２】同上の包装状態を示す斜視図
【図３】同上の端フラップ側からの側面図
【図４】同上の座屈発生後の状態を示す側面図
【図５】従来の一般的なラップラウンドケースの包装状態を示す斜視図
【図６】特許文献１に記載のラップラウンドケースの包装状態を示す斜視図
【発明を実施するための形態】
【００１１】
以下、この発明の実施形態を添付図面に基づいて説明する。
【００１２】
このラップラウンドケースは、飲料入りペットボトルを集合包装するものであり、図１に示すような段ボール製のブランクを組み立てて形成される。
【００１３】
このブランクでは、底面板１の一側に側面板２及び天面板３が、他側に側面板２及び継代片４がそれぞれ順次連設され、側面板２の両端に端フラップ５が、底面板１及び天面板３の両端に端フラップ６がそれぞれ連設されている。
【００１４】
底面板１及び天面板３は、長方形の四隅に短い斜辺を有する八角形状とされ、側面板２は、底面板１及び天面板３の長辺に繋がっている。端フラップ６の両側縁は、後述する稜部谷折線１４より内側に位置するように、斜めに切断されている。
【００１５】
底面板１、一対の側面板２、天面板３及び継代片４の境界をなす稜部山折線７は、中央側が側面板２へ迫り出すように僅かにＶ字状に屈曲し、底面板１及び天面板３と端フラップの境界をなす稜部山折線８は、水平となっている。
【００１６】
側面板２とその両端の端フラップ５には、幅方向の中間部に中間谷折線９が入れられ、中間谷折線９は、表面側が窪む谷折り方向へ折れ曲がりやすいように、表面側から押圧した逆罫線又は裏面側から厚さ方向の途中まで切り込んだ半切線とされている。
【００１７】
また、側面板２及びその両端の端フラップ５には、中間谷折線９の位置に、開封用の引裂帯としてカットテープが貼着され、側面板２の中央部には、Ｈ字状に切込を入れてその摘み部１０が形成されている。端フラップ５，６には、取手穴１１が設けられている。
【００１８】
そして、側面板２と端フラップ５の境界部分には、両端側が離反し、中間部が接近して交差したＸ字状をなす２本の稜部山折線１２が入れられ、中央部が括れた中括稜面部１３が形成されている。稜部山折線１２は、表面側が突き出す山折り方向へ折れ曲がりやすいように、裏面側から押圧した通常の罫線とされている。
【００１９】
また、側面板２と端フラップ５の境界部分には、両端が端フラップ５側の稜部山折線１２の両端に一致し、中間部が稜部山折線１２の交差部から離れるように屈曲した稜部谷折線１４が入れられ、菱形状の中拡稜面部１５が形成されている。稜部谷折線１４は、谷折り方向へ折れ曲がりやすいように、表面側から押圧した逆罫線又は裏面側から厚さ方向の途中まで切り込んだ半切線とされている。
【００２０】
このようなブランクを組み立てて、図２及び図３に示すように、ペットボトルＢを包装する際には、底面板１に集積したペットボトルＢを載せ、一対の側面板２を稜部山折線７に沿って起立させ、継代片４を内側へ折り曲げ、天面板３を稜部山折線７に沿って折り曲げ、ペットボトルＢの上方に被せて、継代片４に貼り付け、端フラップ５，６を稜部山折線１２，８に沿って順次折り曲げ、貼り合わせることにより封緘する。
【００２１】
この組み立てに際し、稜部山折線１２に沿った山折り方向への折り曲げに伴い、中括稜面部１３は、四隅のペットボトルＢに沿うように斜め向きとなり、中拡稜面部１５は、中括稜面部１３に引っ張られて、中間部の表面側が少し窪む。
【００２２】
上記のようなラップラウンドケースでは、コーナー部分において、中括稜面部１３と中拡稜面部１５とが耐圧荷重に優れた多面構造を形成し、また、稜部山折線７が僅かにＶ字状となり、主としてコーナー部分に荷重が作用するので、段ボールの強度が低下する多湿条件下で大きな積上荷重が作用しても、胴膨れが生じにくい。
【００２３】
また、仮に座屈が生じても、図４に示すように、中間谷折線９及び稜部谷折線１４に沿って表面側が窪むように変形するので、胴膨れした形状となることがない。
【００２４】
なお、上記実施形態では、稜部山折線１２及び稜部谷折線１４が直線からなるものを例示したが、これらは、弧状の曲線としてもよい。
【００２５】
また、稜部山折線１２が中間部で交差してＸ字状をなすものを例示したが、稜部山折線１２は、交差していなくても、中間部で接近していれば、同様の胴膨れ防止効果を得ることができる。
【００２６】
さらに、稜部谷折線１４の両端が端フラップ５側の稜部山折線１２の両端に一致するものを例示したが、これらは一致していなくても、接近していれば、同様の胴膨れ防止効果を得ることができる。
【００２７】
そのほか、中間谷折線９を側面板２の高さ方向の中間部に１本のみ入れたものを例示したが、中間谷折線９は、側面板２に上下に間隔をあけて２本入れてもよく、この場合、稜部山折線１２は、中間谷折線９の間では垂直方向に平行し、上下の中間谷折線９の上方及び下方で離反するように入れるとよい。
【符号の説明】
【００２８】
１  底面板
２  側面板
３  天面板
４  継代片
５，６  端フラップ
７，８  稜部山折線
９  中間谷折線
１０  摘み部
１１  取手穴
１２  稜部山折線
１３  中括稜面部
１４  稜部谷折線
１５  中拡稜面部
【図１】
0005981176.tif 000002
【図２】
0005981176.tif 000003
【図３】
0005981176.tif 000004
【図４】
0005981176.tif 000005
【図５】
0005981176.tif 000006
【図６】
0005981176.tif 000007